(57)【要約】【課題】放送受信チューナ装置における予約録画の実行中の停止、予約視聴の実行中の停止等がないようにすることができるようにし、使い勝手が良くなるようにすることを目的とする。【解決手段】放送信号を受信する放送受信チューナ装置が接続できると共にこの放送受信チューナ装置の受信チャンネルを選択して、予約録画信号を得ることができるようになされた電子機器において、電子機器本体において、この放送受信チューナ装置を予約内容に合わせて制御することができるようにすると共にこの電子機器本体の電源オフとこの放送受信チューナ装置の電源オフとの連動及び非連動を選択できるようにしたものである。【選択図】      図１０
2004336395.tif 000002
【特許請求の範囲】
【請求項１】
放送信号を受信する放送受信チューナ装置が接続できると共に前記放送受信チューナ装置の受信チャンネルを選択して、予約録画信号を得ることができるようになされた電子機器において、
電子機器本体において前記放送受信チューナ装置を予約内容に合わせて制御することができるようにすると共に前記電子機器本体の電源オフと前記放送受信チューナ装置の電源オフとの連動及び非連動を選択できるようにしたことを特徴とする電子機器。
【請求項２】
請求項１記載の電子機器において、前記非連動を選択したときに前記放送受信チューナ装置は電源をオンのままとするようにしたことを特徴とする電子機器。
【請求項３】
請求項１又は２記載の電子機器において、
前記放送受信チューナ装置はＣＳチューナ装置であることを特徴とする電子機器。
【発明の詳細な説明】
【０００１】
【発明の属する技術分野】
本発明は放送信号を受信する放送受信チューナ装置例えばＣＳ（Ｃｏｍｍｕｎｉｃａｔｉｏｎ  Ｓａｔｅｌｌｉｔｅ）チューナ装置が接続できると共にこの放送受信チューナ装置の受信チャンネルを選択して予約録画信号を得ることができるようにした電子機器に関する。
【０００２】
【従来の技術】
従来放送信号を受信する放送受信チューナ装置であるＣＳチューナ装置が接続できると共にこの放送受信チューナ装置の受信チャンネルを選択して予約録画信号を得ることができるようにした電子機器が提案されている。
【０００３】
斯かる電子機器においては、この電子機器本体においてこの放送受信チューナ装置を予約内容に合わせて制御することができるようにすると共に、電子機器本体の電源のオン・オフにこの放送受信チューナ装置の電源のオン・オフを連動する如くしている。
【０００４】
この電子機器本体の電源のオンオフにこの放送受信チューナ装置の電源のオン・オフを連動する如くしたときには、放送受信チューナ装置の電源をオフするのを忘れることがなく便利である。
【０００５】
【発明が解決しようとする課題】
然しながら、この電子機器本体の電源のオン・オフにこの放送受信チューナ装置の電源のオン・オフを連動しているときは、この電子機器による予約録画等が終了し、この電子機器本体の電源をオフしたときにはこの放送受信チューナ装置の電源もオフするので、例えばこの放送受信チューナ装置において、他のビデオテープレコーダとの間で予約録画の実行中あるいは予約視聴の実行中であっても、この放送受信チューナ装置の電源がオフするので、この予約録画あるいは予約視聴が停止してしまう不都合があった。
【０００６】
本発明は斯かる点に鑑み、上述の如き予約録画の実行の停止、予約視聴の実行の停止等がないようにすることができるようにし、使い勝手が良くなるようにすることを目的とする。
【０００７】
【課題を解決するための手段】
本発明電子機器は放送信号を受信する放送受信チューナ装置が接続できると共にこの放送受信チューナ装置の受信チャンネルを選択して、予約録画信号を得ることができるようになされた電子機器において、電子機器本体において、この放送受信チューナ装置を予約内容に合わせて制御することができるようにすると共にこの電子機器本体の電源オフとこの放送受信チューナ装置の電源オフとの連動及び非連動を選択できるようにしたものである。
【０００８】
斯かる本発明によれば電子機器本体の電源オフとこの放送受信チューナ装置の電源オフとの連動及び非連動を選択できるようにしたので、この「非連動」を選択し、放送受信チューナ装置の電源をオンとしておけば、予約録画終了時に電子機器本体の電源をオフにしても、放送受信チューナ装置において、予約録画の実行中あるいは予約視聴の実行中であるときは、その予約録画あるいは予約視聴が中止されることがなく、又「連動」を選択したときには放送受信チューナ装置の電源オフを忘れることがなく使い勝手が良くなる。
【０００９】
【発明の実施の形態】
以下図面を参照して本発明電子機器の実施の形態の例にとき説明する。
【００１０】
図１は本例によるシステム構成を示した図である。本例においては、テレビジョン放送信号を録画するハードディスク記録再生装置を備えた電子機器１００と、ＣＳ放送を受信するＣＳチューナ装置２００とを接続し、さらにテレビジョン受像機３００を接続する構成とした。このハードディスク記録再生装置を備えた電子機器１００はテレビジョン放送番組を録画し再生するハードディスクを内蔵して構成してあり、このハードディスク記録再生装置を備えた電子機器１００には、地上波のテレビジョン放送を受信するチューナが内蔵されて、例えば地上波用アンテナ９１が接続してある。ＣＳチューナ装置２００は、ＣＳ放送を受信するチューナであり、例えばパラボラアンテナ９２が接続してあり、パラボラアンテナ９２に取付けられたコンバータ９３からＣＳ放送の受信波が供給される。
【００１１】
ＣＳチューナ装置２００は、２つのＣＳ放送サービスを受信するように構成してあり、ＣＳチューナ装置２００で受信されたテレビジョン放送（ＣＳ放送）の映像信号と音声信号を、それぞれケーブル９６，９７を介してハードディスク記録再生装置を備えた電子機器１００に送る。なお、２つの放送サービスは、電波を中継する通信衛星が異なる衛星であり、放送データの形式についても若干異なる。また、ハードディスク記録再生装置を備えた電子機器１００とＣＳチューナ装置２００とは、それぞれの機器に用意されたデータ通信ポートをケーブル９８で接続して双方向に通信できるようにしてあり、ＣＳチューナ装置２００で受信された放送データなどをハードディスク記録再生装置を備えた電子機器１００に送ることができる。
【００１２】
ハードディスク記録再生装置を備えた電子機器１００では、内蔵された地上波のチューナで受信した地上波のテレビジョン放送番組のハードディスクへの記録と、接続されたＣＳチューナ装置２００で受信したＣＳ放送のテレビジョン放送番組のハードディスクへの記録とが行える。
【００１３】
本例の場合には、ＣＳチューナ装置２００で受信するＣＳ放送サービスは、デジタルデータ化された映像信号や音声信号が伝送されるデジタル放送サービスであり、これらのデータが伝送されるパケットには、ＥＰＧ（Ｅｌｅｃｔｒｉｃ  Ｐｒｏｇｒａｍ  Ｇｕｉｄｅ）データと称される電子番組データが付加されている。この電子番組データが付加されたパケットが、データ通信ポートを介してＣＳチューナ装置２００からハードディスク記録再生装置を備えた電子機器１００に送られる。
【００１４】
また、このデータ通信ポート間の接続で、ハードディスク記録再生装置を備えた電子機器１００側から、ＣＳチューナ装置２００の動作を制御するコントロール信号を送ることができる。このコントロール信号による指令としては、ＣＳチューナ装置２００の電源オン・オフ指令や、チャンネル切換え指令、受信する放送サービスの切換え指令なとがある。また、直接的に動作を指示する指令ではなく、ＣＳチューナ装置２００の現在の動作状態を問い合わせる指令（例えば電源オン状態であるかスタンバイ状態であるかの問い合わせ）を送るようにしても良い。
【００１５】
また、ハードディスク記録再生装置を備えた電子機器１００が出力する映像信号と音声信号を、ケーブル９４，９５を介してテレビジョン受像機３００に接続してある。テレビジョン受像機３００では、この電子機器１００に内蔵されたハードディスクに記録された映像の表示及び音声の出力が行える。なお、図１では図示してないが、ＣＳチューナ装置２００とテレビジョン受像機３００を直接接続しても良い。また、ハードディスク記録再生装置を備えた電子機器１００には、ＣＳチューナ装置２００以外の映像信号源を接続して、その映像信号源から供給される映像信号及び音声信号を、ハードディスクに記録することもできる。
【００１６】
次に、ハードディスク記録再生装置を備えた電子機器１００の構成を、図２を参照して説明する。この電子機器１００に接続された地上波用アンテナ９１は、電子機器１００に内蔵された地上波用チューナ１０１に接続してあり、この地上派用チューナ１０１で受信して得た地上波のテレビジョン放送の映像信号及び音声信号を、切換スイッチ１１０の端子１１１に供給する。
【００１７】
地上波用チューナ１０１での受信チャンネルについては、この電子機器１００のコントローラ１２１により制御される。地上波用チューナ１０１で受信する地上波は、アナログ放送波であるが、予め決められた特定のチャンネルについては、１日に数回、決められた時間に、映像信号のブランキング期間へのデータの重畳などで、電子番組表を表示させるためのＥＰＧデータを送るようにしてある。このＥＰＧデータは、そのＥＰＧデータが重畳されたチャンネルの案内だけでなく、その地域で受信可能なほとんどの地上波のチャンネルについての番組を案内するデータとしてある。地上波用チューナ１０１で受信されたＥＰＧデータについては、コントローラ１２１に送るようにしてある。
【００１８】
切換スイッチ１１０は、地上波用チューナ１０１の受信信号と、外部からの入力端子１３１，１３２，１３３，１３４に得られる信号とを切り換えるスイッチである。入力端子１３１，１３２は第１の入力部として使用される映像信号の入力端子及び音声信号の入力端子であり、これらの入力端子に得られる信号を、切換スイッチ１１０の端子１１２に供給する。入力端子１３３，１３４は第２の入力部として使用される映像信号の入力端子及び音声信号の入力端子であり、これらの入力端子に得られる信号を、切換スイッチ１１０の端子１１３に供給する。これらの端子１１１，１１２，１１３に得られる映像信号，音声信号の内の、コントローラ１２１の制御で選択された信号が、端子１１４に得られる。なお、図２では、映像信号と音声信号の供給や切換えなどが同時に行われる場合には、両信号の伝送路を１本の伝送線で示してある。
【００１９】
外部からの入力部の内の、第１の入力部（入力端子１３１，１３２）については、ＣＳチューナ装置２００で受信して出力する映像信号及び音声信号が供給される専用の入力端子として使用される。
【００２０】
第２の入力部（入力端子１３３，１３４）については、このハードディスク記録再生装置を備えた電子機器１００で記録したい映像信号及び音声信号が出力される映像信号源が接続される。例えば、ＢＳチューナやビデオテープ記録再生装置などが接続される。
【００２１】
切換スイッチ１１０で選択された映像信号と音声信号（端子１１４に得られる信号）は、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ  ）エンコーダ１０２に供給して、例えばＭＰＥＧ２方式で圧縮符号化されたデジタル映像データとデジタル音声データとする。このエンコーダ１０２に供給される信号は、アナログ信号であるので、アナログ信号をデジタルデータ化するデジタル変換についても、エンコーダ１０２内（あるいは別体の回路）で行うようにしてある。
【００２２】
ＭＰＥＧエンコーダ１０２で得られたＭＰＥＧ２方式の映像データ及び音声データは、記録再生処理部１０３に供給する。記録再生処理部１０３は、ハードディスク１０５に映像データや音声データなどを記録し再生するための処理を行う回路である。記録再生処理部１０３にはバッファメモリ１０４が接続してあり、このバッファメモリ１０４にデータを一時蓄積させながら、記録や再生を行うようにしてある。なお、後述する電子番組データについても、コントローラ１２１の制御で、ハードディスク１０５に記録し再生するようにしてある。ハードディスク１０５については、スピンドルモータにより高速回転させた状態で、ヘッドにより記録し再生する構成としてあり、例えば数十Ｇバイトの記録容量で、数十時間のテレビジョン放送信号を記録することが可能である。
【００２３】
ハードディスク１０５から再生されて、記録再生処理部１０３で処理された映像データ及び音声データについては、ＭＰＥＧデコーダ１０６に供給して、ＭＰＥＧ２方式からのデコードを行う。デコードされた映像データについては、混合器１０７を介してＮＴＳＣエンコーダ１０８に供給し、ＮＴＳＣ方式のアナログ映像信号として、出力端子１３５に供給する。デコードされた音声データについては、デジタル／アナログ変換器１０９でアナログ音声信号に変換し、そのアナログ音声信号を出力端子１３６に供給する。この出力端子１３５，１３６が、図１のケーブル９４，９５でテレビジョン受像機に接続される端子に相当する。
【００２４】
また、本例のハードディスク記録再生装置を備えた電子機器１００は、ＣＳチューナ装置２００と通信を行うためのデータ通信ポート１３７を備えている。このデータ通信ポート１３７でＣＳチューナ装置２００側から伝送されたデータの中から、インターフェース１２２で必要なデータを抽出して、コントローラ１２１に送る構成としてある。ＣＳチューナ装置２００側からこの電子機器１００に送られるデータとしては、例えば電子番組データがある。また、コントローラ１２１からＣＳチューナ装置２００側に送りたいデータ（図１の説明で述べた各種指令など）を、インターフェース１２２を介してデータ通信ポート１３７から出力させるようにしてある。
【００２５】
ハードディスク記録再生装置を備えた電子機器１００を操作する指令については、操作キーやリモートコントロール信号の受信部（受光部）で構成される入力部１２３から供給される構成としてある。例えば、図示しないリモートコントロール装置から赤外線信号で操作指令が入力部１２３に届くと、その受信した指令をコントローラ１２１に送る。リモートコントロール装置やキーの操作などによる指令としては、例えば直接的に録画，再生，チャンネル切換えなどを指示する指令の他に、このハードディスク記録再生装置を備えた電子機器１００に接続されたテレビジョン受像機３００での表示を参照しながら、カーソルキーや確定キーなどの操作で多機能の操作を行う、いわゆるＧＵＩ（Ｇｒａｐｈｉｃａｌ  Ｕｓｅｒ  Ｉｎｔｅｒｆａｃｅ）操作の指令もある。
【００２６】
コントローラ１２１は、このＧＵＩ操作のための画面を生成させる処理を行った場合、その生成された画面のデータを混合器１０７に送り、ＭＰＥＧデコーダ１０６が出力する映像データに混合して、出力端子１３５から出力される映像信号が、対応した画面が表示される映像信号となるようにしてある。
【００２７】
このＧＵＩ操作のための画面以外でも、このハードディスク記録再生装置を備えた電子機器１００で各種表示を行う必要がある場合には、コントローラ１２１が同様にその表示画面のデータを生成させて、混合器１０７に送るようにしてある。これらの処理で表示される画面の例については、後述する。
【００２８】
またコントローラ１２１には、時計部１２４が接続してあり、時計部１２４で現在時刻（年月日，時分秒）をカウントした結果をコントローラ１２１で随時判断するようにしてある。この時計部１２４でカウントした日時をコントローラ１２１で判断して、予約された録画の実行などを行うようにしてある。時計部１２４でカウントする時刻については、ユーザ操作で設定や修正を行うようにしても良いが、地上波用チューナ１０１（又は接続されたＣＳチューナ装置２００）で受信した信号に基づいて、時刻を自動修正するようにしても良い。
【００２９】
また本例のハードディスク記録再生装置を備えた電子機器１００は、電子機器１００の前面パネル部に点灯手段としての３つの発光ダイオード１４１，１４２，１４３を組み込んであり、コントローラ１２１の制御に基づいた、点灯制御部１４０による駆動で、この３つの発光ダイオード１４１〜１４３の点灯が、個別に制御されるようにしてある。この３つの発光ダイオード１４１〜１４３は、例えば発光する色をそれぞれ異なる色に設定してある。本例の場合には、この３つの発光ダイオード１４１〜１４３による発光で、新たな録画（具体的にはシリーズ予約）があった場合に、そのことを告知する手段として使用する。
【００３０】
また本例のハードディスク記録再生装置を備えた電子機器１００は、メモリカードが着脱自在に装着可能なカードスロット１２５を備え、カードスロット１２５に装着されたメモリカード１２６に記憶されたデータを、コントローラ１２１が読み出して、各種処理が行えるようにしてある。例えば、装着されたメモリカード１２６に静止画像データや動画像データが記憶されている場合、その画像データをコントローラ１２１が読み出して混合器１０７側に送り、この電子機器１００に接続されたテレビジョン受像機３００に表示させることができる。或いは、メモリカード１２６から読み出したデータを、ハードディスク１０５などに記録させても良い。
【００３１】
さらに本例のハードディスク記録再生装置を備えた電子機器１００は、インターネットに接続するためのポート１３８を備えて、そのインターネット接続用ポート１３８で接続された通信手段を介したデータのやり取りが、インターフェース１２７を介してコントローラ１２１で行えるようにしてある。
【００３２】
インターネット接続用ポート１３８については、例えばインターネット接続用のルータやモデムと、所定のケーブルを介して接続できるようにしてある。このインターネット接続用ポート１３８を介して所定のアドレスのサーバにアクセスして、電子番組データを取得することもできる。
【００３３】
コントローラ１２１は、種々の処理により電子番組データを取得した場合に、その電子番組データを、ハードディスク１０５の一部の領域に保存して、その保存されたデータを活用して電子番組表の表示処理や、録画予約処理を行うようにしてある。コントローラ１２１が取得される電子番組データとしては、内蔵された地上波用チューナ１０１で受信した電子番組データと、接続されたＣＳチューナ装置２００からポート１３７を介して得られた電子番組データと、インターネットを介して取得した電子番組データの３種類があり、どの電子番組データを使用するかが予め設定で決められる。
【００３４】
なお、コントローラ１２１には、不揮発性メモリ（図示せず）が接続してあり、各種設定事項を記憶するようにしてある。また、録画予約の情報についても、この不揮発性メモリに記憶させる。但し、不揮発性メモリを設けないで、ハードディスク１０５の一部の記録領域を代わりに使用しても良い。
【００３５】
次に、本例のハードディスク記録再生装置を備えた電子機器１００に接続されるＣＳチューナ装置２００の構成例を、図３を参照して説明する。
【００３６】
ＣＳチューナ装置２００は、衛星放送波を受信するパラボラアンテナ９２が接続してあり、アンテナ９２のコンバータ９３から供給される信号の中から、受信するチャンネルのデータが含まれるパケットをチューナ２０１で受信処理する。受信するパケットの選択は、コントローラ２１０により制御される。チューナ２０１で受信されたパケットは、ＱＰＳＫ（Ｑｕａｄｒａｔｕｒｅ  Ｐｈａｓｅ  Ｓｈｉｆｔ  Ｋｅｙｉｎｇ  ）復調部２０２に供給して、受信パケットのデータをＱＰＳＫ復調処理する。その復調されたデータを、エラー訂正部２０３に供給して、エラー訂正処理を行う。
【００３７】
エラー訂正された受信データは、デマルチプレクサ２０４に供給し、受信パケットの中から受信するチャンネルの映像データ，音声データ，その他のデータを抽出する。その他のデータとしては、例えば電子番組データがある。この抽出処理は、コントローラ２１０の制御に基づいて実行され、データ処理に必要なデータの一時記憶を、接続したバッファメモリ２０５で行うようにしてある。
【００３８】
デマルチプレクサ２０４で抽出された映像データと音声データは、ＭＰＥＧデコーダ２０６に供給し、ＭＰＥＧ−２方式で符号化された映像データと音声データをデコードする。ＭＰＥＧデコーダ２０６でデコードされた映像データは、混合器２０７を介してＮＴＳＣエンコーダ２０８に供給し、ＮＴＳＣ方式のアナログ映像信号として、出力端子２２１に供給する。デコードされた音声データについては、デジタル／アナログ変換器２０９でアナログ音声信号に変換し、そのアナログ音声信号を出力端子２２２に供給する。この出力端子２２１，２２２が、図１のケーブル８３，８４でハードディスク記録再生装置を備えた電子機器１００に接続される端子に相当する。デマルチプレクサ２０４で抽出された電子番組データについては、コントローラ２１０に送るようにしてある。
【００３９】
端子２２１から出力される映像信号については、コントローラ２１０で生成された各種案内表示用の画像による映像信号である場合もある。即ち、コントローラ２１０で生成された案内表示用の画像データを、混合器２０７に供給して、ＭＰＥＧデコーダ２０６が出力する映像データに重畳させて、ＮＴＳＣエンコーダ２０８に供給できる構成としてある。この案内表示用の画像データとしては、例えば受信したチャンネルの信号に付加された電子番組データに基づいた電子番組表を表示させる画像データがある。
【００４０】
また、本例のＣＳチューナ装置２００は、ハードディスク記録再生装置を備えた電子機器１００と通信を行うためのデータ通信ポート２２３を備えている。このデータ通信ポート２２３は、専用のケーブル（図１に示したケーブル８５）で、ハードディスク記録再生装置を備えた電子機器１００側のデータ通信ポート１３７と接続される。このデータ通信ポート２２３を使用して送るための放送データを、デマルチプレクサ２０４からインターフェース２１１に送り、インターフェース２１１でポート２２３から出力させる形式のデータとして出力させるようにしてある。本例の場合には、受信した放送データが含まれるパケットそのもの（即ち映像データ，音声データ，ＥＰＧデータなどが含まれたデータ）を、ポート２２３からハードディスク記録再生装置を備えた電子機器１００側に送るようにしてある。この電子機器１００側では、その伝送されたパケットデータの中から、ＥＰＧデータだけを抽出するようにしてある。
【００４１】
また、データ通信ポート２２３を介してインターフェース２１１で、ハードディスク記録再生装置を備えた電子機器１００側から送られたデータ（各種指令など）を受信した場合には、そのデータをコントローラ２１０に送るようにしてある。コントローラ２１０からインターフェース２１１を介してハードディスク記録再生装置を備えた電子機器１００側にデータを送る場合もある。
【００４２】
ＣＳチューナ装置２００を操作する指令については、操作キーやリモートコントロール信号の受信部（受光部）で構成される入力部２１２から供給される構成としてある。例えば、図示しないリモートコントロール装置から赤外線信号で操作指令が入力部２１２に届くと、その受信した指令をコントローラ２１０に送る。
【００４３】
また、このＣＳチューナ装置２００は、ユーザの登録情報や視聴記録などの受信契約に関するデータを保持するＩＣカード２１３が装着される構成としてあり、このＩＣカード２１３に記憶された情報に基づいて、コントローラ２１０が有料チャンネルの受信などの処理を行うようにしてある。
【００４４】
さらに、このＣＳチューナ装置２００には、電話回線の接続端子２２４を備え、コントローラ２１０からインターフェース２１４を介して、端子２２４に接続された電話回線側に、データを送ることができる。この電話回線を介して送るデータとしては、有料チャンネルの視聴記録などの受信契約に関するデータがある。
【００４５】
なお、本例のＣＳチューナ装置２００は、既に説明したように、２つの放送サービス（サービスＡとサービスＢ）の受信が可能であり、それぞれの放送サービス毎に受信する衛星が異なるが、サービスＡのチャンネルを受信している状態から、サービスＢのチャンネルに切り換える場合（或いはその逆の場合）には、チューナの構成上、衛星切換え操作を行った後に、チャンネル切換え操作が必要な形式のＣＳチューナ装置と、チャンネル切換え操作だけで放送サービスが自動的に切換わるＣＳチューナ装置の、２つの形式のものが存在する。衛星切換え操作が必要な形式のＣＳチューナ装置は、比較的古い形式のＣＳチューナ装置に多く存在する。
【００４６】
次に、以上説明した構成のハードディスク記録再生装置を備えた電子機器１００とＣＳチューナ装置２００とを図１に示すように接続して、ハードディスク記録再生装置を備えた電子機器１００で記録（録画）や再生を行うための処理について、図４〜図８のフローチャートと、図９以降の表示例を参照して説明する。これらの処理を行うためのユーザ操作は、例えば、ハードディスク記録再生装置を備えた電子機器１００に付属するリモートコントロール装置（図示せず）により行うものとする。具体的には、ハードディスク記録再生装置を備えた電子機器１００の出力端子１３５から出力される映像（ＧＵＩ操作用の映像）をテレビジョン受像機３００で表示させた状態で、リモートコントロール装置のカーソルキーや決定キーなどの操作で各項目の入力を行うようにしてある。図９以降の表示例は、このＧＵＩ操作用の画面の例である。
【００４７】
本例のハードディスク記録再生装置を備えた電子機器１００での放送番組の録画としては、既に説明したように、この電子機器１００に内蔵された地上波用チューナ１０１で受信した地上波のテレビジョン放送番組の録画と、ＣＳチューナ装置２００で受信したＣＳ放送波のテレビジョン放送番組の録画とがある。これらの放送番組の録画を行うために、まずハードディスク記録再生装置を備えた電子機器１００でセットアップを必要とする。このセットアップ処理は、コントローラ１２１の制御で実行され、そのセットアップされた事項については、コントローラ１２１に接続された不揮発性のメモリ（図示せず）やハードディスクなどに記憶（記録）される。
【００４８】
図４は、このセットアップ処理の一例を示したフローチャートである。まず、ハードディスク記録再生装置１００のコントローラ１２１は、セットアップ画面を表示させる選択がユーザの操作であるか否か判断する（ステップＳ１１）。このとき、セットアップ画面の表示が選択されてない場合には、他の処理に移る。セットアップ画面の表示が選択された場合には、セットアップ画面を表示させる。
【００４９】
図９は、このセットアップ画面の最初の表示例を示してあり、セットアップを行うメニューが表示されている。即ち、図９に示すように、画面の上側にセットアップとの表示１１があり、左側にセットアップメニューの表示１２がある。ここでは、メニューの中のチャンネル合わせ表示１２ａが選択された状態としてあり、そのチャンネル合わせ表示１２ａが選択されることで、右側にチャンネル合わせを行う項目の表示１３が行われる。
【００５０】
セットアップ画面が表示された状態で、その画面中に表示されたセットアップメニューの中のチャンネル合わせが選択されたか否か判断する（ステップＳ１２）。チャンネル合わせが選択された場合には、さらに地上波のチャンネル合わせであるか、ＣＳチャンネルのチャンネル合わせであるかが選択される（ステップＳ１３）。
【００５１】
図９に示すように、チャンネル合わせ表示１２ａを選択した状態では、チャンネル合わせを行う項目の表示１３として、〔地上波チャンネル〕，〔ＣＳチャンネル〕，〔地上波自動チャンネル合わせ〕の３つの項目が表示される。
【００５２】
ここで、地上波の自動チャンネル合わせが選択された場合には、ユーザ操作で、このシステムが設置された地域毎に割当てられたコード番号（地域番号）を入力させる画面を表示させて、その画面で地域番号を入力させる（ステップＳ１４）。図１１は、地域番号の入力画面の例を示した図であり、地域番号を入力する表示領域１５が用意されている。
【００５３】
その図１１に示した表示の中に地域番号が入力されると、その地域で受信できる地上波のテレビジョン放送チャンネルの一覧を、画面に表示させる（ステップＳ１５）。なお、地域番号毎に受信可能なチャンネル番号と放送局名のデータについては、この電子機器１００のコントローラ１２１に接続されたメモリなどに予め記憶させてある。
【００５４】
図１２は、地域番号の入力に基づいて表示される、受信チャンネルの確認画面の一例である。ここでは、受信チャンネル番号の一覧表示１６と、表示されるチャンネル番号の一覧表示１７と、放送局名の一覧表示１８とを行うようにしてある。一覧表示１７の中のチャンネル番号を変更することで、実際に受信時に画面中に表示されるチャンネル番号を、受信番号から変更することが可能である。このように変更できることで、いわゆるサテライト局を受信する場合に表示されるチャンネル番号を、ユーザが覚えているチャンネル番号に一致させることが可能になる。なお、地上波の場合には、ＥＰＧデータが送信されるチャンネルが、各地域毎に予め決められた特定のチャンネルだけにしてあり、この地域番号の入力でチャンネル設定を行った場合には、ＥＰＧデータを取得する際に受信するチャンネル番号も、予め用意されたデータに基づいて対応したチャンネル番号に自動的に設定されるようにしてある。
【００５５】
図１２に示したように、表示された受信チャンネルの一覧表示をユーザが確認して、それで良い場合には、次の処理に移る。受信チャンネルの一覧表示をユーザが確認して、受信できるチャンネルとして追加したいチャンネル、或いは削除したいチャンネルがある場合には、対応したユーザ操作を行う。なお、図４のフローチャートでは示してないが、ステップＳ１４に示した地域番号の入力ではなく、１局ずつユーザ操作で登録するチャンネルを選択するようにしても良い。この１局ずつの登録時には、地上波のＥＰＧデータを取得するチャンネルについてもユーザ操作で登録する必要がある。
【００５６】
ここまでの処理で選択された受信チャンネルが、コントローラ１２１の制御で、地上波用チューナ２０１で受信できる地上波のチャンネルとなる。即ち、例えばリモートコントロール装置のチャンネルアップキーやチャンネルダウンキーを操作した場合に、その選択された受信チャンネルの中で、チャンネル番号順などに受信チャンネルが変化する。
【００５７】
そして、地上波で受信するチャンネルの設定が終わると、その受信するチャンネルの中で、自動録画を行うチャンネルとして登録するチャンネルを選択する画面を表示させる（ステップＳ１６）。ここでの自動録画は、その放送チャンネルの電子番組データをコントローラ１２１が判断して、予め決められ条件に一致する番組を探し出し、その捜し出した番組の録画予約を自動的に行う処理である。予め決められ条件としては、例えば、電子番組データで示される番組名や番組の案内文の中に、特定のキーワードが含まれる場合に、その番組を自動的に録画予約して、その番組を自動的にハードディスクに録画させる処理である。
【００５８】
図１３は、地上波の自動録画チャンネルの設定画面の例を示した図である。この例では、表示チャンネル番号の一覧表示１９と、それに対応した放送局名の一覧表示２０と、各チャンネル毎の自動録画の設定表示２１とを行うようにしてある。自動録画の設定表示２１の中の、各チャンネル毎の表示を、自動録画するかしないか選択する操作を行うことで、それぞれのチャンネル毎に設定ができる。
【００５９】
このステップＳ１６での表示に基づいて、受信チャンネルの中で自動録画を行うチャンネルとして選択されたチャンネルについては、キーワードの指定などに基づいて、一定の条件に合致する番組が見つかった場合には、コントローラ１２１はその番組の録画予約を自動的に行う。また、ステップＳ１６での表示に基づいて、受信チャンネルの中で自動録画をしないチャンネルとして選択されたチャンネルについては、このような自動的な録画処理を行わない。自動録画チャンネルとして選択されてないチャンネルについては、ユーザ操作による録画（ここではこのような録画を自動録画と区別するために手動録画と称する）は可能である。
【００６０】
また、ステップＳ１３で、ＣＳチャンネルのチャンネル合わせであると選択された場合には、コントローラ１２１は、受信するチャンネル番号の入力画面を表示させ、その入力画面で受信するチャンネル番号をユーザ操作で入力させる。本例のハードディスク記録再生装置を備えた電子機器１００は、この電子機器１００からＣＳチューナ装置２００側に受信を指示することができるチャンネルとして、最大２０チャンネルを設定できるようにしてある。この２０チャンネルは、ＣＳチューナ装置２００で受信可能な２つの放送サービスが混在しても良い。
【００６１】
図１４は、ＣＳチャンネルのチャンネル番号の入力画面の例である。この例では、チャンネル番号を入力できる領域の表示２２を、１つずつ順に表示させて、チャンネル番号の入力が終わる毎に、その領域の表示２２を増やしていき、最大で２０個のチャンネル番号が入力できるようにしてある。図１４の例では、各チャンネル番号は３桁の番号として示してある。
【００６２】
ステップＳ１７でのチャンネル番号の入力が行われて確定操作が行われると、その入力されたチャンネル番号の放送局名の一覧を表示させる（ステップＳ１８）。このチャンネル番号と放送局名の対応については、ハードディスク記録再生装置を備えた電子機器１００内に予め記憶させても良いが、接続されたＣＳチューナ装置２００で受信したデータに基づいて得るようにしても良い。このステップＳ１８の一覧で表示されたＣＳ放送の受信チャンネルが、本例のハードディスク記録再生装置を備えた電子機器１００で電子番組データに基づいて録画予約が可能なチャンネルになる。
【００６３】
図１５は、ＣＳチャンネルのチャンネル番号の放送局名の一覧の表示例である。ここでは、受信チャンネル番号の一覧表示２４と、対応した放送局名の一覧表示２５と、放送サービスの一覧表示２６とを行うようにしてある。既に説明したように、本例のＣＳチューナ装置２００で受信できる放送サービスには、２種類のサービスがあり（ここではサービスＡとサービスＢと称する）、その放送サービス毎に電波を送信（中継）している通信衛星が異なる。
【００６４】
ステップＳ１８でのＣＳ放送の受信チャンネルの一覧表示をユーザが確認すると、次に、ＣＳ放送の受信チャンネルの中で、自動録画を行うチャンネルとして登録するチャンネルを選択する画面を表示させる（ステップＳ１９）。ここでの自動録画は、地上波での自動録画と同じであり、その放送チャンネルの電子番組データをコントローラ１２１が判断して、予め決められ条件に一致する番組を探し出し、その捜し出した番組の録画予約を自動的に行う処理である。
【００６５】
図１６は、ＣＳチャンネルの自動録画チャンネル設定の表示例である。ここでは、受信チャンネル番号の一覧表示２７と、対応した放送局名の一覧表示２８と、各チャンネル毎の自動録画の設定表示２９とを行うようにしてある。自動録画の設定表示２９の中の、各チャンネル毎の表示を、自動録画するかしないか選択する操作を行うことで、それぞれのチャンネル毎に設定ができる。
【００６６】
ステップＳ１９での表示に基づいて、受信チャンネルの中で自動録画を行うチャンネルとして選択されたＣＳチャンネルについては、キーワードの指定などに基づいて、一定の条件に合致する番組が見つかった場合には、コントローラ１２１はその番組の録画予約を自動的に行う。また、ステップＳ１９での表示に基づいて、受信チャンネルの中で自動録画をしないチャンネルとして選択されたＣＳチャンネルについては、このような自動的な録画処理を行わない。自動録画チャンネルとして選択されてないチャンネルについては、電子番組表を表示させながら、そのユーザ操作により録画する番組を選択する手動録画は可能である。
【００６７】
また、ステップＳ１２で、セットアップ画面からチャンネル合わせ以外の項目が選択されたと判断した場合には、ＣＳ放送の受信に関する設定（但しチャンネル設定以外）が選択されたか否か判断し（ステップＳ２０）、ＣＳ放送の受信設定である場合には、該当する項目を入力させる画面を表示させる（ステップＳ２１）。
【００６８】
図１０Ａは、ＣＳ放送の受信設定に関するセットアップメニューの表示例である。この例では、メニュー表示１２の中から、ＣＳ設定表示１２ｂを選択した場合としてあり、画面の右側に、ＣＳ設定に関する詳細の一覧表示１４が行われている。このＣＳ設定を選択し決定したときはカーソルは詳細の一覧表示の最上位地に移動する。この詳細の一覧表示１４を順に説明すると、ＣＳ機能のオン・オフの表示１４ａと、接続されるＣＳチューナ装置２００の製造メーカー名の表示１４ｂと、衛星切換え送信のオン・オフの表示１４ｃと、チューナ電源制御が連動か非連動かの表示１４ｄと、サービスＡで電子番組表を表示させるためのＥＰＧデータを取得するチャンネル番号の表示１４ｅと、サービスＢで電子番組表を表示させるためのＥＰＧデータを取得するチャンネル番号の表示１４ｆと、ＥＰＧデータを取得する希望の時刻の表示１４ｇとを行うようにしてある。
【００６９】
この図１０Ａに示したＣＳ放送の受信設定画面が表示された状態で、カーソルキーによりそれぞれの表示項目を選択して、変更させる操作を行うことで、ユーザの好みの設定状態とすることができる。具体的な各項目について説明すると、ＣＳ機能の「入」の表示１４ａで、ＣＳ機能を「入」とすることで、接続されたＣＳチューナ装置２００のコントロールが可能になり、「切」とすることで、このようなコントロールを行わない状態となる。通常は「切」の状態であり、この「ＣＳ機能入」を選択し、決定したときのみ「入」の状態となる。接続されるＣＳチューナ装置２００の製造メーカー名の表示１４ｂで、接続されたＣＳチューナ装置２００の製造メーカー名を正しく設定することで、正しいＣＳチューナ装置の動作制御が可能になる。
【００７０】
衛星切換え送信の「する」の表示１４ｃで、「する」を選択決定することで、ＣＳ放送サービスが異なるチャンネルにチャンネル切換えを行う場合に、衛星切換え指令がＣＳチューナ装置２００に送られ、その後チャンネル番号の指令が送られるようになる。「しない」と設定した場合には、ＣＳ放送サービスが異なるチャンネルにチャンネル切換えを行う場合であっても、衛星切換え指令を送ることなく、直接チャンネル番号の指令が送られるようになる。通常は「しない」状態であり、この「衛星放送切換え送信する」を選択し、決定したときのみ上述「する」状態となる。なお、衛星切換え指令を出力させる場合には、その衛星切換え指令を出力してから、チャンネル番号の指令を送るまでに、数秒の間、例えば６秒間かかる。
【００７１】
チューナ電源制御が連動か非連動かの表示１４ｄで、「連動」と設定した場合には、ハードディスク記録再生装置を備えた電子機器１００がＣＳチューナ装置２００を作動させる必要がある場合だけ、ＣＳチューナ装置２００の電源をオン状態とし、その他の場合にはオフ状態（或いはスタンバイ状態）とするようにしてある。本例において図１０Ｂに示す如く、「非連動」と設定した場合には、ハードディスク記録再生装置を備えた電子機器１００からＣＳチューナ装置２００の電源の制御は行わない。従って、「非連動」と設定した上でＣＳチャンネルの録画予約などを行う場合には、ＣＳチューナ装置２００の電源を常時オン状態にしておく必要がある。通常は「連動」状態であり、図１０Ｂに示す如く「チューナ電源制御非連動」を選択し、決定したときのみ上述の「非連動」の状態となる。
【００７２】
サービスＡで電子番組表を表示させるためのＥＰＧデータを取得するチャンネル番号の表示１４ｅと、サービスＢで電子番組表を表示させるためのＥＰＧデータを取得するチャンネル番号の表示１４ｆについては、それぞれのサービスで最も電子番組データが良好に取得できるチャンネル番号を予め設定してある。本例の場合には、それぞれのサービス毎に用意されたプロモーションチャンネルのチャンネル番号を、このハードディスク記録再生装置を備えた電子機器１００の出荷時に設定してある。但し、プロモーションチャンネルのチャンネル番号は変更される可能性があるので、そのような場合には、表示１４ｅ又は表示１４ｆに表示されたチャンネル番号を変更するようなユーザ入力を行う。
【００７３】
ＥＰＧデータを取得する希望の時刻の表示１４ｇについては、ＣＳチャンネルのＥＰＧデータを取得を開始する時刻が表示されるようにしてある。ＣＳチャンネルのＥＰＧデータは、基本的に放送サービスを行っている時間内であれば、何時でも取得可能であるが、ＥＰＧデータの取得には、比較的長い時間が必要であり、そのＥＰＧデータの取得時間は、できる限り録画予約された時間などと重ならないようにする必要があり、基本的にユーザが必要とする番組が放送される可能性の少ない時間を設定するのが好ましい。
【００７４】
なお、画面の例は示さないが、地上波のＥＰＧデータについても、地上波の放送の設定画面で、取得する時刻の表示を行って、設定（変更）できるようにしてある。但し、地上波のＥＰＧデータは、現状では予め決まった時間に、１日数回だけ送信するようにしてあり、その数回の送信時間の中からだけ選択できるようにしてある。また、ＣＳチャンネルのＥＰＧデータとして設定できる時間帯は、この地上波のＥＰＧデータの取得時間帯は避けるようにしてある。
【００７５】
ここで、図１０Ａの表示例のＥＰＧデータを取得するチャンネル番号の表示１４ｅ，１４ｆを変更する場合の、コントローラ１２１での処理例を、図５のフローチャートを参照して説明する。まず、図１０Ａに示したセットアップメニューを表示させた状態で、サービスＡのＥＰＧデータの取得チャンネルを変更させる入力があるか否か判断し（ステップＳ３１）、該当する入力がない場合には、サービスＢのＥＰＧデータの取得チャンネルを変更させる入力があるか否か判断する（ステップＳ３２）。いずれかのサービスのＥＰＧデータの取得チャンネルの変更入力があると、変更されたチャンネル番号を、該当するサービスでのＥＰＧデータの取得時に受信させるチャンネルとして登録して、不揮発性メモリ又はハードディスクに記憶させ（ステップＳ３３）、表示１４ｅ又は１４ｆとして表示されるチャンネル番号を、その登録させたチャンネル番号に変更させる。
【００７６】
このようにして、電子番組表のデータを取得するチャンネル番号が変更できることで、放送サービス側でプロモーションチャンネルのチャンネル番号などに変更があった場合でも、ユーザ操作で簡単に対処することができる。
【００７７】
なお、本例のハードディスク記録再生装置を備えた電子機器１００については、インターネットに接続可能であり、またＣＳ放送としてＣＳチューナ装置２００で受信して供給されるデータで、放送データに付加された各種制御データを得ることも可能であり、これらの処理で、電子番組表のデータを取得するチャンネル番号を変更させる指令を含むソフトウェアを、放送局などからハードディスク記録再生装置を備えた電子機器１００に送ることも可能である。このように、自動的にチャンネル番号を変更させることで、プロモーションチャンネルのチャンネル番号などに変更があった場合でも、ユーザ操作が不要になる。
【００７８】
次に、図６のフローチャートを参照して、電子番組表を表示させるＥＰＧデータを取得する時刻の設定を行う際の、コントローラ１２１での処理例を説明する。まず、ＥＰＧデータの取得時間の変更操作があると、地上波のＥＰＧデータの取得時間の変更の操作であるか否か判断する（ステップＳ３５）。ここで、地上波のＥＰＧデータの取得時間の変更の場合には、予めＥＰＧデータが送信されることが決められた複数の時間だけを候補として表示させて、その候補時間の中だけから、いずれか１つが選択できるようにしてある（ステップＳ３６）。設定画面では、例えばＥＰＧデータの取得を開始させる時刻だけを表示させるようにしてあるが、実際にはＥＰＧデータの取得に比較的長い時間が必要である。そして次に、ＣＳチャンネルのＥＰＧデータの取得時間の変更の操作であるか否か判断する（ステップＳ３７）。ＣＳチャンネルのＥＰＧデータの取得時間の変更の場合には、地上波のＥＰＧデータを取得する時間帯と重ならない時間帯の中から、複数の候補となる時間を表示させて、その候補時間の中から、いずれか１つが選択できるようにしてある（ステップＳ３８）。
【００７９】
そして、ここまでＥＰＧデータの取得時間の設定が行われると、そのとき設定された取得時間帯と重なる時間の録画予約が存在するか否か判断する（ステップＳ３９）。ここで、取得時間と重なる時間の録画予約がある場合には、録画予約が重なることを示す警告の表示を、そのときのセットアップ画面上に重ねて行うようにしてある（ステップＳ４０）。
【００８０】
このＥＰＧデータの取得時間帯と録画予約とが重なることを警告表示から確認したユーザは、ＥＰＧデータの取得時間を変更したり、或いは録画予約時間を変更することで、正しく作動しない不具合を回避できる。
【００８１】
次に、このようにしてハードディスク記録再生装置１００でのセットアップが完了した後に、実際にＥＰＧデータを取得する処理について説明する。まず、コントローラ１２１の制御で、地上波のＥＰＧデータを取得する処理を、図７のフローチャートを参照して説明する。
【００８２】
コントローラ１２１は、時計部１２４がカウントする時刻から、地上波のＥＰＧデータを取得する時刻になったか否か判断し（ステップＳ４１）、地上波のＥＰＧデータを取得する時刻になるまで待機する。そして、地上波のＥＰＧデータを取得する時刻になったと判断した場合に、予め登録された地上波のＥＰＧデータを取得するチャンネルを、地上波用チューナ１０１で受信させる（ステップＳ４２）。その受信で、ＥＰＧデータの取得を行う（ステップＳ４３）。この取得処理を開始して、１単位のＥＰＧデータを全て取得できたか否か判断し（ステップＳ４４）、取得が完了するまで行う。本例の場合には、その地域で放送される全てのチャンネル（但しＥＰＧデータがない一部のチャンネルを除く）についての、当日から１週間先までの電子番組表のデータを取得する。
【００８３】
そして、その１単位のＥＰＧデータを全て取得できた場合には、その取得されたＥＰＧデータを、ハードディスクに保存させる（ステップＳ４５）。なお、ハードディスクへの保存は、データの取得と並行して、逐次行っても良い。
【００８４】
そして、ハードディスクに保存されたＥＰＧデータを、この記録再生装置を備えた電子機器１００で利用しやすい形態のデータ構造とする整理処理を行い（ステップＳ４６）、地上波のＥＰＧデータ取得処理を終了する。
【００８５】
なお、この図７のフローチャートに示した地上波のＥＰＧデータの取得処理は、地上波の放送データに付加されたＥＰＧデータを取得する処理であるが、これとは別に、本例のハードディスク記録再生装置を備えた電子機器１００は、インターネットに接続できる構成としてあり、インターネットを経由して所定のサーバにアクセスして、そのサーバから送られたＥＰＧデータを蓄積させることもできる。このインターネットを経由して取得したＥＰＧデータであっても、放送波から抽出されたＥＰＧデータであっても、後述する録画予約などは同じように実行できる。但し、後述するキーワード検索などを行うためには、詳しい番組案内情報が必要であり、より詳しいデータで構成されたＥＰＧデータを利用する方が好ましい。
【００８６】
次に、コントローラ１２１の制御で、ＣＳ放送のＥＰＧデータを取得する処理を、図８のフローチャートを参照して説明する。
【００８７】
コントローラ１２１は、時計部１２４がカウントする時刻から、ＣＳ放送のＥＰＧデータを取得する時刻になったか否か判断し（ステップＳ５１）、ＣＳ放送のＥＰＧデータを取得する時刻になるまで待機する。そして、ＣＳ放送のＥＰＧデータを取得する時刻になったと判断した場合に、現在、接続されたＣＳチューナ装置２００の電源がオンか否か判断し（ステップＳ５２）、ＣＳチューナ装置２００の電源がオン状態でない場合には、ＣＳチューナ装置２００をオンさせる指令をＣＳチューナ装置２００に送る（ステップＳ５３）。なお、ステップＳ５２での電源オン状態の判断については、ＣＳチューナ装置２００との通信で、ＣＳチューナ装置２００の状態が検出できる場合には、その検出処理を行えば良い。また、ＣＳチューナ装置２００の状態が検出できない場合には、現在、ＣＳチューナ装置２００から受信データなどが供給される場合に、電源オン状態と判断し、受信データが供給されない場合に、電源オン状態でないと判断する。また、ＣＳチューナ装置２００の電源を非連動と設定してある場合には、ステップＳ５２，Ｓ５３での処理は必要ない。
【００８８】
そして、ステップＳ５２で電源オンと判断した後、及びステップＳ５３で電源オン指令を送った後に、予め登録されたサービスＡ又はサービスＢのプロモーションチャンネルを受信させるチャンネル切換え指令を送る（ステップＳ５４）。ここで受信するサービスは、例えば登録された受信チャンネルの中の最もチャンネル番号が小さいものから順に受信するとすると、その最もチャンネル番号が小さいチャンネルが属するサービスとする。ここでは、チャンネル番号順に受信するものとして以下説明する。
【００８９】
従って、最もチャンネル番号の小さいチャンネルについてのＥＰＧデータを取得する処理を行い（ステップＳ５５）、そのチャンネル番号についての、当日から１週間先までの電子番組表のデータが取得できたか否か判断する（ステップＳ５６）。１つのチャンネルの１週間分の電子番組表のデータを取得するのには、例えば約１分必要であり、該当するチャンネルの１週間分の電子番組表のデータが取得できるまでステップＳ５５での取得処理を行う。該当するチャンネルの１週間分の電子番組表のデータが取得できたら、その１週間分のＥＰＧデータを、ハードディスクに保存させる（ステップＳ５７）。
【００９０】
そして次に、登録された受信チャンネルの中の次に小さなチャンネル番号が、直前にＥＰＧデータを取得したチャンネル番号と同じ放送サービスのチャンネルであるか否か判断し（ステップＳ５８）、違う放送サービスである場合には、別の放送サービスのプロモーションチャンネルの受信に切換えさせる（ステップＳ５９）。ここで、衛星切換え操作が必要なＣＳチューナ装置が接続されている場合には、衛星切換え指令を送ってから、チャンネル切換え指令を送る必要がある。
【００９１】
そして、ステップＳ５８で同じ放送サービスであると判断した場合、及びステップＳ５９の処理が行われた後に、そのときに取得するチャンネルについてのＥＰＧデータを取得する処理を行い（ステップＳ６０）、そのチャンネル番号についての、当日から１週間先までの電子番組表のデータが取得できたか否か判断する（ステップＳ６１）。該当するチャンネルの１週間分の電子番組表のデータが取得できたら、その１週間分のＥＰＧデータを、ハードディスクに保存させる（ステップＳ６２）。
【００９２】
このステップＳ５８からステップＳ６２までの処理は、受信することが登録されたチャンネルがある限り繰り返し行う。本例の場合には、最大で登録できるＣＳ放送のチャンネル数は２０個であるので、２０回ＥＰＧデータの取得処理が行われる。登録された全てのチャンネルについてＥＰＧデータが取得できてハードディスクに保存できた場合、ＣＳチューナ装置２００に電源オフとする指令を送り（ステップＳ６３）、ＣＳチューナ装置２００をスタンバイ状態とする。但し、ＣＳチューナ装置２００の電源を非連動と設定してある場合には、ステップＳ６３での処理は必要ない。
【００９３】
その後、ハードディスクに保存されたＥＰＧデータを、このハードディスク記録再生装置を備えた電子機器１００で利用し易いデータ形式とするデータ整理処理を行い（ステップＳ６４）、ここでのＣＳ放送のＥＰＧデータの取得処理を終了する。１つのＣＳチャンネルについてのＥＰＧデータの取得に、約１分必要であるとすると、最大２０チャンネルの登録が可能であるので、最大約２０分受信に必要で、その後のステップＳ６４でのデータ整理に、例えば約１０分必要で、合計で約３０分程度の時間が必要となる。
【００９４】
斯かる本例によれば、この電子機器１００の電源オフとこのＣＳチューナ装置２００の電源オフとの連動及び非連動を選択できるようにしたので、この「非連動」を選択し、ＣＳチューナ装置２００の電源をオンとしておけば、予約録画終了時に電子機器１００の電源をオフしても、ＣＳチューナ装置２００において、予約録画の実行中あるいは予約視聴の実行中であるときは、その予約録画あるいは予約視聴が中止されることがなく、又「連動」を選択したときは、ＣＳチューナ装置２００の電源オフを忘れることがなくなり使い勝手が良い。
【００９５】
尚、上述例では、ハードディスクを記録媒体として使用した記録媒体装置を備えた電子機器に適用した例につき述べたが、その他の記録（記憶）媒体を使用した記録再生装置を備えた電子機器に適用しても良い。
【００９６】
また、上述例では、ＣＳチューナ装置２００を用いた例につき述べたが、この代わりにその他の放送信号を受信する放送受信チューナ装置であっても良い。
【００９７】
また本発明は上述例に限ることなく、本発明の要旨を逸脱することなくその他種々の構成が採り得ることは勿論である。
【００９８】
【発明の効果】
本発明によれば、この電子機器本体の電源オフとこの放送受信チューナ装置の電源オフとの連動及び非連動を選択できるようにしたので、この「非連動」を選択し、放送受信チューナ装置の電源をオンとしておけば、予約録画終了時に電子機器本体の電源をオフしても、放送受信チューナ装置において、予約録画の実行中あるいは予約視聴の実行中であるときは、その予約録画あるいは予約視聴が中止されることがなく、又「連動」を選択したときには、放送受信チューナ装置の電源オフを忘れることがなくなり使い勝手が良い。
【図面の簡単な説明】
【図１】本発明の電子機器の実施の形態の例によるシステム構成例を示す説明図である。
【図２】本発明の電子機器の実施の形態の例を示すブロック図である。
【図３】チューナ装置の構成例を示すブロック図である。
【図４】図１例によるセットアップ処理例を示すフローチャートである。
【図５】図１例による番組表取得チャンネル変更処理例を示すフローチャートである。
【図６】図１例によるＥＰＧデータ取得時間設定処理例を示すフローチャートである。
【図７】図１例による地上波の番組表取得処理例を示すフローチャートである。
【図８】図１例によるＣＳ放送の番組表取得処理例を示すフローチャートである。
【図９】図１例によるセットアップメニューの表示例を示す説明図である。
【図１０】本発明によるセットアップメニューの表示例を示す説明図である。
【図１１】図１例による地上波チャンネル設定時の表示例を示す説明図である。
【図１２】図１例による地上波チャンネル確認時の表示例を示す説明図である。
【図１３】図１例による地上波チャンネル自動録画チャンネル設定時の表示例を示す説明図である。
【図１４】図１例によるＣＳ放送チャンネル設定時の表示例を示す説明図である。
【図１５】図１例によるＣＳ放送チャンネル確認時の表示例を示す説明図である。
【図１６】図１例によるＣＳ放送チャンネル自動録画チャンネル設定時の表示例を示す説明図である。
【符号の説明】
９１…地上波用アンテナ、９２…衛星用パラボラアンテナ、９３…コンバータ、９１〜９８…接続ケーブル、１００…電子機器、１０１…地上波用チューナ、１０２…ＭＰＥＧエンコーダ、１０２ａ…アナログ／デジタル変換器、１０３…記録再生処理部、１０４…バッファメモリ、１０５…ハードディスク、１０６…ＭＰＥＧデコーダ、１０７…混合器、１０８…ＮＴＳＣエンコーダ、１０９…デジタル／アナログ変換器、１１０…切換スイッチ、１２１…コントローラ、１２２…インターフェース、１２３…入力部、１２４…時計部、１２５…カードスロット、１２６…メモリカード、１２７…インターフェース、１３１，１３２，１３３，１３４…入力端子、１３５，１３６…出力端子、１３７…データ通信ポート、１３８…インターネット接続用ポート、１４０…点灯制御部、１４１，１４２，１４３…発光ダイオード、２００…ＣＳチューナ装置、２０１…チューナ、２０２…ＱＰＳＫ復調部、２０３…エラー訂正部、２０４…デマルチプレクサ、２０５…バッファメモリ、２０６…ＭＰＥＧデコーダ、２０７…混合器、２０８…ＮＴＳＣエンコーダ、２０９…デジタル／アナログ変換器、２１０…コントローラ、２１１…インターフェース、２１２…入力部、２１３…ＩＣカード、２２１，２２２…出力端子、２２３…データ通信ポート、３００…テレビジョン受像機
【図１】
2004336395.tif 000003
【図２】
2004336395.tif 000004
【図３】
2004336395.tif 000005
【図４】
2004336395.tif 000006
【図５】
2004336395.tif 000007
【図６】
2004336395.tif 000008
【図７】
2004336395.tif 000009
【図８】
2004336395.tif 000010
【図９】
2004336395.tif 000011
【図１０】
2004336395.tif 000012
【図１１】
2004336395.tif 000013
【図１２】
2004336395.tif 000014
【図１３】
2004336395.tif 000015
【図１４】
2004336395.tif 000016
【図１５】
2004336395.tif 000017
【図１６】
2004336395.tif 000018